(57)【要約】      （修正有）【課題】プリセットの切換指示を受け付けた場合に、ユーザに対しプリセットの切換前後の音量変化に違和感を生じないように音量制御する音響機器を提供する。【解決手段】音響機器１は、所定のパラメータに基づいてオーディオ信号を処理する信号処理部１８と、オーディオ信号のレベルを調整するレベル調整部１９と、オーディオ信号を入力して音を出力するスピーカ（スピーカユニット１１１）と、パラメータの切換指示を受け付けるインタフェース１０２と、パラメータの切換指示を受け付けた時に、レベル調整部１９のゲインを下げ、その後、所定の時間幅におけるレベル調整部１９のゲインの変化量が所定値以下となるように、レベル調整部１９のゲインを上げる制御部（ＣＰＵ１０７）と、を備える。【選択図】図１
2019169767.tif 000002
【特許請求の範囲】
【請求項１】
所定のパラメータに基づいてオーディオ信号を処理する信号処理部と、
前記オーディオ信号のレベルを調整するレベル調整部と、
前記オーディオ信号を入力して音を出力するスピーカと、
前記パラメータの切換指示を受け付けるインタフェースと、
前記パラメータの切換指示を受け付けた時に、前記レベル調整部のゲインを下げ、その後、所定の時間幅における前記レベル調整部のゲインの変化量が所定値以下となるように、前記レベル調整部のゲインを上げる制御部と、
を備える音響機器。
【請求項２】
前記インタフェースは、ネットワークを介して、前記パラメータの切換指示を受け付ける、
請求項１に記載の音響機器。
【請求項３】
前記所定の時間幅における前記レベル調整部のゲインの変化量は、一定の変化率で変化する、
請求項１又は２に記載の音響機器。
【請求項４】
請求項１から請求項３のいずれかに記載の音響機器を複数備えた、
音響制御システム。
【請求項５】
所定のパラメータに基づいてオーディオ信号を処理し、
前記オーディオ信号のレベルを調整し、
前記オーディオ信号を入力して音を出力し、
前記パラメータの切換指示を受け付け、
前記パラメータの切換指示を受け付けた時に、レベル調整部のゲインを下げ、その後、所定の時間幅における前記レベル調整部のゲインの変化量が所定値以下となるように、前記レベル調整部のゲインを上げる、
音響制御方法。
【請求項６】
ネットワークを介して、前記パラメータの切換指示を受け付ける、
請求項５に記載の音響制御方法。
【請求項７】
前記所定の時間幅における前記レベル調整部のゲインの変化量は、一定の変化率で変化する、
請求項５又は６に記載の音響制御方法。
【請求項８】
所定のパラメータに基づいてオーディオ信号を処理し、
前記オーディオ信号のレベルを調整し、
前記オーディオ信号を入力して音を出力し、
前記パラメータの切換指示を受け付け、
前記パラメータの切換指示を受け付けた時に、レベル調整部のゲインを下げ、その後、所定の時間幅における前記レベル調整部のゲインの変化量が所定値以下となるように、前記レベル調整部のゲインを上げる、
処理を、音響機器に実行させるプログラム。
【発明の詳細な説明】
【技術分野】
【０００１】
この発明の一実施形態は、信号処理部のプリセットの切換指示を受け付け可能な音響機器に関し、特に、出力する音の音量制御に関するものである。
【背景技術】
【０００２】
特許文献１は、音量固定解除後のハードウェアボリュームが示す音量設定値とソフトウェア制御による音量設定値とが異なる場合に対処した音声出力装置を開示している。特許文献１の音声出力装置は、ユーザの音量操作の意図を反映した適切な音量変化を実現するものである。特許文献１は、音量が固定される機能が搭載された音声出力装置において、音量固定解除後にユーザの意図しない音量操作により急激な音量の変化を防止することが開示されている。特許文献１の音声出力装置は、これを実現するために、ハードウェアボリュームとソフトウェアボリュームとの2種類の音量設定値を備え、音量固定解除後の音量の差を緩やかに変化させるものである。
【先行技術文献】
【特許文献】
【０００３】
【特許文献１】特開２０１２−１８２６３９号公報
【発明の概要】
【発明が解決しようとする課題】
【０００４】
しかしながら、特許文献１に記載の音声出力装置においては、オーディオ信号のプリセット切換に追従してアンプのゲイン変化を制御する方法について開示していない。
【０００５】
そこで、本発明の一実施形態は、外部からプリセットの切換指示を受け付けた場合に、ユーザに対しプリセットの切換前後の音量変化に違和感を生じないように音量制御する音響機器、音響制御システム、音響制御方法、及びプログラムを提供することを目的とする。
【課題を解決するための手段】
【０００６】
この発明の一実施形態である音響機器は、所定のパラメータに基づいてオーディオ信号を処理する信号処理部と、前記オーディオ信号のレベルを調整するレベル調整部と、前記オーディオ信号を入力して音を出力するスピーカと、前記パラメータの切換指示を受け付けるインタフェースと、前記パラメータの切換指示を受け付けた時に、前記レベル調整部のゲインを下げ、その後、所定の時間幅における前記レベル調整部のゲインの変化量が所定値以下となるように、前記レベル調整部のゲインを上げる制御部と、を備えている。
【発明の効果】
【０００７】
この発明の一実施形態によれば、プリセットの切換指示を受け付けた場合であっても、ユーザに対しプリセットの切換前後の音量変化に違和感を生じないように音量制御することができる。
【図面の簡単な説明】
【０００８】
【図１】図１は、第１実施形態に係る音響機器の構成を示すブロック図である。
【図２】図２は、第１実施形態に係るゲイン変更動作の例を示す図である。
【図３】図３は、第１実施形態に係る音響機器の動作を示すフローチャートである。
【図４】図４は、ゲイン変更動作の変形例を示す図である。
【図５】図５は、ゲイン変更動作の変形例を示す図である。
【図６】図６は、ゲイン変更動作の変形例を示す図である。
【図７】図７は、第１実施形態に係る音響機器の一例の構成を示すブロック図である。
【図８】図８は、第２実施形態に係る音響機器の表示器、オーディオＩ／Ｏ、及びネットワークＩ／Ｆの外観の一例を示す図である。
【図９】図９は、プリセットを説明するための図である。
【図１０】図１０は、第２実施形態に係る音響制御システムの構成を示す図である。
【図１１】図１１は、第２実施形態に係る音響制御システムのミキサの構成を示すブロック図である。
【図１２】図１２Ａは、第２実施形態に係るゲイン変更動作の第２の例を示す図であり、図１２Ｂは、従来の参考例を示す図である。
【発明を実施するための形態】
【０００９】
以下、図を参照しながら、音響機器の具体的な構成について説明する。図１は、第１実施形態に係る音響機器の構成を示す図である。図１においては、オーディオ信号の流れを破線で示す。
【００１０】
図１に示すように、音響機器１は、構成としてＣＰＵ１０７、インタフェース（Ｉ／Ｆ）１０２、ＤＳＰ（Digital Signal Processor）１０、及びスピーカユニット１１１を備えている。ＤＳＰ１０は、信号処理部１８及びレベル調整部１９を備えている。ＣＰＵ１０７は、インタフェース（Ｉ／Ｆ）１０２及びＤＳＰ１０に接続されている。レベル調整部１９は、信号処理部１８、及びスピーカユニット１１１に接続されている。なお、音響機器１においては、スピーカユニット１１１が本発明における「スピーカ」の一例であり、ＣＰＵ１０７が本発明における「制御部」の一例である。
【００１１】
ＣＰＵ１０７は、記憶媒体である不図示のメモリに記憶されているプログラムを読み出して、所定の機能を実現する。
【００１２】
Ｉ／Ｆ１０２は、例えば音響機器１の筐体の一部に設けられたスイッチ、摘まみ、又はタッチパネル等からなり、ユーザの操作を受け付ける。なお、Ｉ／Ｆ１０２は、本発明におけるインタフェースの一例である。ユーザは、Ｉ／Ｆ１０２を介してプリセットの切換を指示する。
【００１３】
プリセットとは、ＤＳＰ１０がミキシング、イコライジング、又はコンプレッシング等の信号処理を行うための内容を予め規定したものである。プリセットは、予め複数設定されており、音響機器１における不図示のメモリに記憶されている。ユーザは、複数のプリセットからいずれか一つを選択することで、プリセットの切換に基づいたパラメータの切換を容易に指示することができる。
【００１４】
信号処理部１８は、所定のプリセットのパラメータに基づいて、音響機器１の外部から入力されたオーディオ信号を処理する。信号処理部１８は、オーディオ信号に、例えば、ミキシング、イコライジング、又はコンプレッシング等の処理を施す。ＣＰＵ１０７は、プリセットのパラメータに基づいた処理を行うために必要なＤＳＰ１０の係数を決定する。信号処理部１８は、ＣＰＵ１０７が決定した係数に従ってオーディオ信号の処理を行う。信号処理部１８は、信号処理後のオーディオ信号を、レベル調整部１９に出力する。
【００１５】
レベル調整部１９は、ＣＰＵ１０７の指示に基づいて信号処理部１８で信号処理が施されたオーディオ信号のレベルを調整した後に、レベル調整したオーディオ信号をスピーカユニット１１１へ出力する。スピーカユニット１１１は、レベル調整部１９から出力されたオーディオ信号を入力して音を出力する。なお、図１において、本来、信号処理部１８とレベル調整部１９との間に、デジタルオーディオ信号をアナログオーディオ信号に変換するＤ／Ａ変換器があるが、これについては省略されている。なお、レベル調整部１９は、信号処理部１８の前段に配置されていてもよい。
【００１６】
ＣＰＵ１０７は、Ｉ／Ｆ１０２を介して、プリセットの切換指示を受け付ける。ＣＰＵ１０７は、プリセットの切換指示を受け付けた時に、ＤＳＰ１０に現在設定されているパラメータを新たなプリセットのパラメータに切換える。また、ＣＰＵ１０７は、プリセットの切換指示を受け付けると、レベル調整部１９のゲインを調整する制御を行う。
【００１７】
次に、ＣＰＵ１０７がレベル調整部１９のゲインを調整する制御の方法、すなわち音響制御方法について、図２のグラフ及び図３のフローチャートを参照して説明する。
【００１８】
図２は、第１実施形態に係るゲイン変更動作の例を示す図である。図中のグラフの横軸は時間（単位は秒）を示している。縦軸は、レベル調整部１９におけるゲイン（単位はｄＢ）を示している。グラフ中の太い実線は、ゲインの変化を示す。なお、図２のゲインは、説明のために最小値の０ｄＢを基準としていて、当該最小値は、ほぼ無音の状態であると仮定している。
【００１９】
図３は、第１実施形態に係る音響機器の動作を示すフローチャートである。
【００２０】
まず、ＣＰＵ１０７は、Ｉ／Ｆ１０２を介して、プリセットの切換指示を受け付けたか否かを判断する（ｓ１１）。ＣＰＵ１０７は、プリセットの切換指示を受け付けた場合（ｓ１１がＹｅｓの場合）、レベル調整部１９のゲインを下げる（ｓ１２）。ＣＰＵ１０７は、ＤＳＰ１０にレベル調整部１９のゲインを下げるようにＤＳＰ１０に指示する。レベル調整部１９は、信号処理部１８で処理されたオーディオ信号を受信して、ゲインを下げるようにレベル調整する。ＣＰＵ１０７は、プリセットの切換指示を受け付けていない場合（ｓ１１がＮｏの場合）、レベル調整部１９のゲインをそのまま維持する。
【００２１】
図２のグラフに示すように、ＣＰＵ１０７は、例えば、タイミングｔ１においてプリセットの切換指示を受け付ける。ＣＰＵ１０７は、ゲインが０ｄＢになるようにレベル調整部１９のゲインを下げる。図２の例では、ＣＰＵ１０７は、タイミングｔ１からタイミングｔ２の間に、ゲインを２０ｄＢから０ｄＢまで下げる。つまり、ＣＰＵ１０７は、−２０ｄＢ／秒の変化率でゲインを下げる。
【００２２】
その後、所定の時間（図２の例では１秒）が経過してタイミングｔ３に達するまでＣＰＵ１０７は、レベル調整部１９のゲインを０ｄＢに維持する。ＣＰＵ１０７は、タイミングｔ２からタイミングｔ３までの間に、信号処理部１８に現在設定されているパラメータを新たなプリセットのパラメータに切換える（ｓ１３）。タイミングｔ２からタイミングｔ３までの間の時間の長さは、信号処理部１８がプリセットの切換に要する時間よりも十分長く設定されている。これにより、音響機器１は、プリセットの切換時に意図しない音が発生することを防止する。
【００２３】
所定の時間が経過し、タイミングｔ３に到達すると（ｓ１４がＹｅｓの場合）、ＣＰＵ１０７は、レベル調整部１９のゲインを所定の変化率で目標のゲイン値まで上げる（ｓ１５）。また、所定の時間が経過しタイミングｔ３に到達していない場合は（ｓ１４がＮｏの場合）、ＣＰＵ１０７は、レベル調整部１９のゲインを０ｄＢに維持する。
【００２４】
ここで、所定の変化率とは、単位時間あたりのゲインの変化量である。所定の変化率は、図２の例では、＋４ｄＢ／秒である。本発明においては、ＣＰＵ１０７は、所定の時間幅におけるレベル調整部１９のゲインの変化量が所定値以下となるようにレベル調整部１９のゲインを上げる。例えば、ＣＰＵ１０７は、図２では、タイミングｔ３からｔ４まで５秒かけて、ゲインを＋２０ｄＢ上昇させるため、単位時間あたりの変化量は＋２０ｄＢよりも小さい値になる。そのため、タイミングｔ３からｔ４までの音量は、緩やかに変化することになる。これにより、スピーカユニット１１１から出力される音の音量は、緩やかに変化する。従って、音響機器１は、プリセットの切換指示を受け付けた場合であっても、急激な音量変化が発生することなく、ユーザの聴感上の違和感なく所定の音量に上昇させることができる。
【００２５】
なお、ゲインの変化態様は、パラメータの切換が行われた時に急激な音量変化が生じない範囲であれば設定可能である。例えば、以下に示すような第１実施形態に係るＣＰＵ１０７におけるゲイン変更動作の変形例が挙げられる。図４、図５、及び図６は、ゲイン変更動作の変形例を示す図である。
【００２６】
ゲイン変更動作は、図２に示すような線形に変化させる例に限るものではない。ゲイン変更動作は、所定の時間幅におけるレベル調整部１９のゲインの変化量が所定値以下となる状態であればよい。例えば、図４、図５、及び図６に示す変更動作であっても、タイミングｔ３からタイミングｔ４の間においては、レベル調整部１９のゲインは０から４まで変化するため、第１実施形態と同様の効果が得られる。
【００２７】
図４に示すように、ゲインの変化態様は、曲線的に変化させてもよい。この場合、ＣＰＵ１０７は、音量の絶対値が低いときは音量変化が目立たないようにゆっくりとレベル調整部１９のゲインを上げ、その後レベル調整部１９のゲインが大きくなるにつれ速やかにレベル調整部１９のゲインを上げる。これにより、音響機器１は、音量の変化が目立ち易い状況（音量の絶対値が低い場合）でも、音量変化を目立ち難くすることができ、かつ音量の変化が目立ち難い状況（音量の絶対値が高い場合）では速やかにレベル調整部１９のゲインを上げることができる。
【００２８】
図５に示すように、ゲイン変更動作は、所定の時間幅において段階的にレベル調整部１９のゲインを増加させてもよい。図５に示す場合、ＣＰＵ１０７は、所定の時間幅におけるレベル調整部１９のゲインが０．５秒毎に２ｄＢ大きくなるようにゲインを変更する。ＣＰＵ１０７は、このようなゲイン変更動作をすることも可能である。この場合も、ＣＰＵ１０７は、所定の時間幅（例えば５秒）におけるレベル調整部１９のゲインの変化量が所定値（例えば２０ｄＢ）以下となるようにレベル調整部１９のゲインを上げることになる。
【００２９】
図６に示すように、ゲイン変更動作は、所定の時間幅においてレベル調整部１９のゲインの変化率を変化させてもよい。図６に示す場合、レベル調整部１９のゲインの変化率は、タイミングｔ３から２秒後までは＋１．２５ｄＢ／秒であり、続く１秒間は＋２．５ｄＢ／秒であり、さらにその後の２秒間は＋７．５ｄＢ／秒である。図６に示す場合も、図４に示す場合と同様に、ＣＰＵ１０７は、音量の絶対値が低いときは音量変化が目立たないようにゆっくりとレベル調整部１９のゲインを上げ、その後ある程度の音量になった後は速やかにレベル調整部１９のゲインを上げる。これにより、音響機器１は、音量の変化が目立ち易い状況（音量の絶対値が低い場合）でも、音量変化を目立ち難くすることができ、かつ音量の変化が目立ち難い状況（音量の絶対値が高い場合）では速やかにレベル調整部１９のゲインを上げることができる。
【００３０】
次に、音響機器１の一例について説明する。図７は、音響機器１の一例のスピーカの構成を示すブロック図である。図７に示すスピーカ１３Ａは、本発明の「音響機器」の一例である。なお、スピーカ１３Ａは、音響機器１と同じ構成の部分については説明を省略する。図８は、スピーカ１３Ａの表示器、オーディオＩ／Ｏ、及びネットワークＩ／Ｆの外観の一例を示す図である。図９は、プリセットを説明するための図である。
【００３１】
図７に示すように、スピーカ１３Ａは、表示器１０１、ユーザインタフェース（Ｉ／Ｆ）１５２、オーディオＩ／Ｏ（Ｉｎｐｕｔ／Ｏｕｔｐｕｔ）１０３、フラッシュメモリ１０４、ＲＡＭ１０５、ネットワークインタフェース（Ｉ／Ｆ）１０６、ＣＰＵ１０７、ＤＳＰ１０８、Ｄ／Ａ変換器１０９、アンプ１１０、及びスピーカユニット１１１を備えている。表示器１０１、ユーザＩ／Ｆ１５２、オーディオＩ／Ｏ１０３、フラッシュメモリ１０４、ＲＡＭ１０５、ネットワークインタフェース（Ｉ／Ｆ）１０６、ＣＰＵ１０７、ＤＳＰ１０８、Ｄ／Ａ変換器１０９、及びアンプ１１０は、バス１５１に接続されている。アンプ１１０は、Ｄ／Ａ変換器１０９及びスピーカユニット１１１に接続されている。なお、ユーザＩ／Ｆ１５２は、本発明における「インタフェース」の一例であり、ＤＳＰ１０８は、本発明における「信号処理部」の一例であり、アンプ１１０は、本発明における「レベル調整部」の一例である。
【００３２】
図８に示すように、表示器１０１、オーディオＩ／Ｏ１０３、及びネットワークＩ／Ｆ１０６は、スピーカ１３Ａの筐体の一部に設けられている。表示器１０１は、例えばＬＣＤ（Liquid Crystal Display）又はＯＬＥＤ（Organic Light-Emitting Diode）等からなり、種々の情報を表示する。ユーザＩ／Ｆ１５２は、スイッチ、摘まみ、又はタッチパネル等からなり、パラメータの切換指示等のユーザの操作を受け付ける。ユーザＩ／Ｆ１５２がタッチパネルである場合、該ユーザＩ／Ｆ１５２は、表示器１０１とともに、ＧＵＩ（Graphical User Interface以下略）を構成する。
【００３３】
ＤＳＰ１０８は、オーディオＩ／Ｏ（Ｉｎｐｕｔ／Ｏｕｔｐｕｔ）１０３又はネットワークインタフェース（Ｉ／Ｆ）１０６を介して入力されるオーディオ信号に、信号処理を施す。ＤＳＰ１０８は、信号処理後のオーディオ信号を、アンプ１１０に出力する。
【００３４】
ＣＰＵ１０７は、図９に示すようなプリセットに基づいたパラメータをＤＳＰ１０８に設定する。プリセットは、予め複数設定されており、フラッシュメモリ１０４に記憶されている。本実施形態においては、１から１０までの１０個のプリセットが予め設定されている。これにより、ユーザは、プリセットの選択肢（１〜１０）からいずれか一つを選択することで、パラメータの切換を容易にできる。
【００３５】
ＣＰＵ１０７は、記憶媒体であるフラッシュメモリ１０４に記憶されているプログラムをＲＡＭ１０５に読み出して、所定の機能を実現する。ＣＰＵ１０７は、表示器１０１にユーザの操作を受け付けるための画像を表示し、ユーザＩ／Ｆ１５２を介して、当該画像に対する選択操作等を受け付けることで、ＧＵＩを実現する。例えば、図８に示すようにＣＰＵ１０７は、プリセットの選択肢（１〜１０）を表示器１０１に表示する。ユーザは、プリセットの選択肢（１〜１０）からいずれか一つのプリセットを選択することができる。また、ＣＰＵ１０７は、ネットワークＩ／Ｆ１０６を介して、プリセットの変更指示を受け付けてもよい。
【００３６】
ＣＰＵ１０７は、プリセットの変更指示を受け付けた時に、変更指示で選択されたプリセットに基づくパラメータをフラッシュメモリ１０４から読み出す。ＣＰＵ１０７は、ＤＳＰ１０８に現在設定されているパラメータを新たなプリセットのパラメータに切換える。ＣＰＵ１０７は、プリセットの変更指示を受け付けると、アンプ１１０のゲインを調整し、音量制御を行う。
【００３７】
なお、ＣＰＵ１０７が読み出すプログラムは、自装置内のフラッシュメモリ１０４に記憶されている必要はない。例えば、プログラムは、サーバ等の外部装置の記憶媒体に記憶されていてもよい。この場合、ＣＰＵ１０７は、該サーバから都度プログラムをＲＡＭ１０５に読み出して実行すればよい。
【００３８】
次に、第２実施形態に係る音響制御システムについて説明する。なお、第２実施形態に係る音響制御システムの説明において、第１実施形態に係る音響機器と同様の構成については説明を省略する。
【００３９】
図１０は、第２実施形態に係る音響制御システムの構成を示す図である。音響制御システム７は、ミキサ７１、複数のスイッチ（スイッチ１２Ａ、スイッチ１２Ｂ）、及び複数のスピーカ（スピーカ１３Ａ〜スピーカ１３Ｆ）を備えている。スピーカ１３Ａ〜スピーカ１３Ｆは概ね同様の構成であるため、必要に応じてスピーカ１３Ａを代表して説明を行う。
【００４０】
各機器は、ネットワークケーブルを介して接続されている。例えば、ミキサ７１は、スイッチ１２Ａに接続されている。スイッチ１２Ａは、スイッチ１２Ｂ及びスピーカ１３Ａに接続されている。スイッチ１２Ｂは、スイッチ１２Ａ及びスピーカ１３Ｄに接続されている。スピーカ１３Ａ、スピーカ１３Ｂ、及びスピーカ１３Ｃは、スイッチ１２Ａに、デイジーチェーンで接続されている。また、スピーカ１３Ｄ、スピーカ１３Ｅ、及びスピーカ１３Ｆも、スイッチ１２Ｂに、デイジーチェーンで接続されている。ミキサ７１は、ネットワークで接続されている他の機器からオーディオ信号を入力する、又は他の機器に対してオーディオ信号を出力する。
【００４１】
図１１は、第２実施形態に係る音響制御システムのミキサの構成を示すブロック図である。図１１に示すように、ミキサ７１は、ネットワークを介して接続されているスピーカ１３Ａ〜スピーカ１３Ｆにオーディオ信号を送信する。また、ミキサ７１は、プリセットの変更の指示を行う。
【００４２】
ミキサ７１は、表示器２０１、ユーザＩ／Ｆ２０２、オーディオＩ／Ｏ（Ｉｎｐｕｔ／Ｏｕｔｐｕｔ）２０３、信号処理部（ＤＳＰ）２０４、ネットワークＩ／Ｆ２０５、ＣＰＵ２０６、フラッシュメモリ２０７、及びＲＡＭ２０８を備えている。これら構成は、バス２７１を介して接続されている。
【００４３】
ＣＰＵ２０６は、ミキサ７１の動作を制御する制御部である。ＣＰＵ２０６は、記憶媒体であるフラッシュメモリ２０７に記憶された所定のプログラムをＲＡＭ２０８に読み出して実行することにより各種の動作を行なう。例えば、ＣＰＵ２０６は、プリセットの変更指示をスピーカ１３Ａ〜スピーカ１３Ｆにそれぞれ出力する。
【００４４】
なお、ＣＰＵ２０６が読み出すプログラムも、自装置内のフラッシュメモリ２０７に記憶されている必要はない。例えば、プログラムは、サーバ等の外部装置の記憶媒体に記憶されていてもよい。この場合、ＣＰＵ２０６は、該サーバから都度プログラムをＲＡＭ２０８に読み出して実行すればよい。
【００４５】
信号処理部２０４は、各種信号処理を行なうためのＤＳＰから構成される。信号処理部２０４は、オーディオＩ／Ｏ２０３又はネットワークＩ／Ｆ２０５を介して入力されるオーディオ信号に、ミキシング、イコライジング、又はコンプレッシング等の信号処理を施す。信号処理部２０４は、信号処理後のオーディオ信号を、オーディオＩ／Ｏ２０３又はネットワークＩ／Ｆ２０５を介して、スピーカ１３Ａ等の他の機器に出力する。
【００４６】
ユーザは、ユーザＩ／Ｆ２０２を介して、ミキサ７１にスピーカ１３Ａ〜スピーカ１３Ｆのプリセットの変更指示を入力する。ＣＰＵ２０６は、ユーザＩ／Ｆ２０２を介して受け付けたプリセットの変更指示を、ネットワークＩ／Ｆ２０５を介して、スピーカ１３Ａ〜スピーカ１３Ｆに送信する。スピーカ１３Ａ〜スピーカ１３Ｆは、それぞれ、ネットワークＩ／Ｆ１０６を介して、プリセットの変更指示を受け付ける。このように、音響制御システム７においては、複数の音響機器（スピーカ１３Ａ〜スピーカ１３Ｆ）は、ネットワーク経由でプリセットの変更指示を受け付ける。
【００４７】
次に、スピーカ１３Ａ〜スピーカ１３Ｆでプリセットの変更指示を行う場合におけるゲイン変更動作について説明する。図１２Ａ（Ｆｉｇ．１２Ａ）は、第２実施形態に係るゲイン変更動作の例を示す図である。図１２Ｂ（Ｆｉｇ．１２Ｂ）は、従来の参考例を示す図である。図１２Ａにおいては、スピーカ１３Ａのゲインを実線で、スピーカ１３Ｂのゲインを破線で示す。なお、図１２Ａにおいては説明の便宜上、スピーカ１３Ａ及びスピーカ１３Ｂを代表して説明する。
【００４８】
複数の音響機器に対してネットワーク経由でプリセットの変更指示を行う場合、ネットワークの負荷の違いにより、各スピーカのＤＳＰ１０８は異なるタイミングでプリセットの変更指示を受信する場合がある。例えば、ネットワークにおける通信負荷が高い場合には、プリセットの変更指示を受信するタイミングが遅れる。また、各スピーカの信号処理部１０８の負荷によってパラメータの切換に要する時間が異なる場合がある。例えば、ＤＳＰ１０８が多数のエフェクト処理を行なっていて、複雑な信号処理を行なっている場合、プリセットの変更指示を受信してから、実際にプリセットの変更が行なわれるまでに要する時間が長くなる。
【００４９】
図１２Ｂに示すように、従来の参考例においては、所定の時間幅におけるアンプのゲインの変化量が所定値より大きくなるように各スピーカのアンプのゲインを上げている。図１２Ｂの参考例においては、２秒の間に、ゲインは２０ｄＢ上昇する。この様に、アンプのゲインを急激に上昇させると、ネットワークの負荷が高い状態のスピーカと、ネットワークの負荷が低いスピーカとの間で、プリセットの変更指示を受信するタイミングが遅れる場合に、スピーカ間の音量差が大きくなる。また、この様に、アンプのゲインを急激に上昇させると、信号処理部の負荷が高い状態のスピーカと、信号処理部の負荷が低いスピーカとの間でも、スピーカ間の音量差が大きくなる。例えば、図１２Ｂでは、ゲインを上昇させるまでの時間差が１秒あるため、スピーカ間で１０ｄＢの音量差が生じている。
【００５０】
これに対して、本実施形態の音響制御システム７においては、プリセットの変更指示を行う場合、各スピーカ（スピーカ１３Ａ〜スピーカ１３Ｆ）のＣＰＵ１０７は、各スピーカのゲインを所定の時間幅におけるアンプ１１０のゲインの変化量が所定値以下となるように目標のゲイン値まで上げる。図１２Ａの例においては、ＣＰＵ１０７は、５秒をかけて、ゲインを２０ｄＢ上昇させている。この様に、アンプのゲインを緩やかに上昇させる場合、ネットワークの負荷の違いによりプリセットの変更指示を受信するタイミングが遅れる場合、あるいは信号処理部の負荷の違いにより実際にプリセットの変更が行なわれるまでに要する時間が異なる場合でも、スピーカ間の音量差は小さい。例えば、図１２Ａでは、ゲインを上昇させるまでの時間差が１秒あるが、スピーカ間では４ｄＢ程度の音量差しかない。
【００５１】
図１２Ａのグラフに示すように、スピーカ１３ＡのＣＰＵ１０７は、例えば、タイミングｔ３からタイミングｔ４の間に、スピーカ１３Ａのアンプ１１０のゲインを０ｄＢから４ｄＢまで緩やかに一定の変化率＋４ｄＢ／秒で上げる。また、スピーカ１３ＢのＣＰＵ１０７は、スピーカ１３Ｂのアンプ１１０のゲインも同様に一定の変化率で上げる。
【００５２】
図１２Ａの様に、スピーカ１３Ｂにおけるプリセットの変更指示を受信するタイミングがスピーカ１３Ａより１秒遅い場合、スピーカ１３Ａ及びスピーカ１３Ｂのアンプ１１０のゲイン差は、タイミングｔ３からタイミングｔ４の間のいずれの経過時間において、４ｄＢ以下である。これに対して、仮に、従来の参考例においてアンプのゲインの変化率が＋１０ｄＢ／秒である場合、プリセットの変更指示を受信するタイミングが１秒異なるスピーカ間のゲイン差は、いずれの経過時間においても、１０ｄＢ程度になる。このように、本実施形態の音響制御システム７は、複数のスピーカがネットワークを介してプリセットの変更指示を受け付けた場合であっても、各スピーカのアンプ１１０のゲインを緩やかに一定の変化率で増加することによって、各スピーカのアンプ１１０のゲインの差を低く抑えることができる。すなわち、音響制御システム７は、プリセットの切換指示を受け付けた場合であっても、プリセットの切換前後の各スピーカ間での音量変化の差を低く抑制することができる。従って、音響制御システム７は、プリセットの切換指示を受け付けた場合であっても、ユーザに対し各スピーカにおける音量変化に違和感を生じないように音量制御することができる。
【００５３】
また、音響制御システム７においては、各スピーカのアンプ１１０のゲインは一定の変化率で線形に上げることが好ましい。音響制御システム７において各スピーカのアンプ１１０のゲインを一定の変化率で上げることによって、各スピーカのアンプ１１０のゲイン差が概ね一定に維持される。例えば、図１２Ａに示すように、ＣＰＵ１０７が各スピーカのアンプ１１０のゲインを一定の変化率＋４ｄＢ／秒で上げるように制御する場合であって、スピーカ間におけるプリセットの変更指示を受信するタイミングが１秒異なる場合について説明する。この場合、スピーカ間のアンプ１１０のゲイン差は、タイミングｔ３の１秒後からタイミングｔ４の間のいずれの経過時間においても４ｄＢである。これにより、音響制御システム７は、プリセットの変更指示を受け付けた場合であっても、各スピーカのアンプ１１０のゲインの差をある程度一定にすることができる。従って、音響制御システム７は、各スピーカから出力される音の音量差がある程度一定であるため、各スピーカ間の音量変化の違いを抑制することができる。従って、音響制御システム７は、プリセットの切換指示を受け付けた場合であっても、ユーザに対し各スピーカにおける音量変化に違和感を生じないように音量制御することができる。
【００５４】
なお、本実施形態の説明は、すべての点で例示であって、制限的なものではない。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５５】
１…音響機器
７…音響制御システム
１０…ＤＳＰ
１２Ａ，１２Ｂ…スイッチ
１３Ａ，１３Ｂ，１３Ｃ，１３Ｄ，１３Ｅ，１３Ｆ…スピーカ
１８…信号処理部
１９…レベル調整部
７１…ミキサ
１０１…表示器
１０２…インタフェース
１０３…オーディオＩ／Ｏ
１０４…フラッシュメモリ
１０５…ＲＡＭ
１０６…ネットワークインタフェース
１０７…ＣＰＵ
１０８…ＤＳＰ
１０９…Ｄ／Ａ変換器
１１０…アンプ
１１１…スピーカユニット
１５１…バス
２０１…表示器
２０４…信号処理部
２０６…ＣＰＵ
２０７…フラッシュメモリ
２０８…ＲＡＭ
２７１…バス
【図１】
2019169767.tif 000003
【図２】
2019169767.tif 000004
【図３】
2019169767.tif 000005
【図４】
2019169767.tif 000006
【図５】
2019169767.tif 000007
【図６】
2019169767.tif 000008
【図７】
2019169767.tif 000009
【図８】
2019169767.tif 000010
【図９】
2019169767.tif 000011
【図１０】
2019169767.tif 000012
【図１１】
2019169767.tif 000013
【図１２】
2019169767.tif 000014